(57)【要約】【課題】より受験生のニーズに応じた学校情報を提供するとともに、学校情報を提供するＨＰの運用効率の向上を図ることである。【解決手段】情報提供システム１００では、多数の在学生のインタビュー映像がデジタルビデオカメラ２０により撮影されるとともに、その在学生の属性情報がＰＣ１０に登録され、その在学生の属性情報と撮影した動画ファイルとがＰＣ１０においてデータベース化されてサーバのＤＢ３０ａに格納される。サーバ３０においてＤＢ３０ａに格納された動画ファイルが学校紹介ＨＰにより公開され、クライアント端末４０ａではサーバ３０からその動画ファイルが取得されて再生される。【選択図】          図１
2004206619.tif 000002
【特許請求の範囲】
【請求項１】
受験生を対象として学校情報を提供する情報提供方法であって、
複数の在学生の属性情報を登録する登録工程と、
前記登録された在学生のインタビュー映像を属性情報の登録順に撮影し、その動画ファイルを記録する撮影工程と、
前記登録された在学生の属性情報と、前記記録された動画ファイルとを、インタビューした各在学生の出身校別にデータベース化するデータベース化工程と、
受験生の在学校を指定する学校指定画面と、当該学校指定画面で指定された学校を出身校とする前記在学生を指定する在学生指定画面と、をウェブ画面として公開する公開工程と、
前記各指定画面において指定された学校及び在学生に対応する動画ファイルを前記データベースから読み出して前記ウェブ画面上で再生する再生工程と、
を含むことを特徴とする情報提供方法。
【請求項２】
前記登録工程では、前記在学生の属性情報にその登録順を示す撮影番号を付して登録し、
前記撮影工程では、前記動画ファイルのファイル名にその撮影順を示す撮影番号を付して記録し、
前記データベース化工程では、前記属性情報の撮影番号と、前記動画ファイル名の撮影番号とを照合することにより、当該属性情報と動画ファイルとを対応付けてデータベース化することを特徴とする請求項１に記載の情報提供方法。
【請求項３】
前記データベース化工程では、前記照合された属性情報とその動画ファイルとを管理するためのユニークＩＤを生成し、当該動画ファイルのファイル名を、撮影番号からユニークＩＤに更新して当該動画ファイルをデータベース化することを特徴とする請求項２に記載の情報提供方法。
【請求項４】
前記データベース化された動画ファイルのメンテナンス時に、指定されたユニークＩＤに対応する在学生の属性情報を前記データベースから検索して表示する検索工程を含むことを特徴とする請求項３に記載の情報提供方法。
【請求項５】
受験生を対象として学校情報を提供する情報提供システムであって、
複数の在学生のインタビュー映像を撮影し、その動画ファイルを記録する撮影装置と、
複数の在学生の属性情報をその撮影順に登録し、当該登録された在学生の属性情報と、前記記録された動画ファイルとを、インタビューした各在学生の出身校別にデータベース化し、サーバにそのデータベース情報を転送する情報処理装置と、
前記情報処理装置から転送されたデータベース情報を格納するデータベースを備え、受験生の在学校を指定する学校指定画面と、当該学校指定画面で指定された学校を出身校とする前記在学生を指定する在学生指定画面と、をウェブ画面として公開し、当該各指定画面において指定された学校及び在学生に対応する動画ファイルを前記データベースから読み出して前記ウェブ画面上で再生するサーバと、
を備えることを特徴とする情報提供システム。
【請求項６】
前記撮影装置は、前記動画ファイルのファイル名にその撮影順を示す撮影番号を付して記録し、
前記情報処理装置は、前記在学生の属性情報にその撮影順を示す撮影番号を付して登録し、当該属性情報の撮影番号と、前記動画ファイル名の撮影番号とを照合することにより、当該属性情報と動画ファイルとを対応付けてデータベース化することを特徴とする請求項５に記載の情報提供システム。
【請求項７】
前記情報処理装置は、前記照合された属性情報とその動画ファイルとを管理するためのユニークＩＤを生成し、当該動画ファイルのファイル名を、撮影番号からユニークＩＤに更新して当該動画ファイルをデータベース化することを特徴とする請求項６に記載の情報提供システム。
【請求項８】
前記サーバは、前記データベース化された動画ファイルのメンテナンス時に、指定されたユニークＩＤに対応する在学生の属性情報を前記データベースから検索して表示することを特徴とする請求項７に記載の情報提供システム。
【発明の詳細な説明】
【０００１】
【発明の属する技術分野】
本発明は、受験生を対象として学校情報を提供する情報提供方法及び情報提供システムに関する。
【０００２】
【従来の技術】
従来、受験生が進学する学校を選択するための参考情報として、開設学科、ゼミ等の教育情報、施設、課外活動、就職実績等の周辺情報、入試要項等の受験情報を学校紹介ホームページ（Home Page；以下、ＨＰという。）としてウェブ上で公開する技術が開発されている（例えば、特許文献１参照）。
【０００３】
また、その学校の施設や、在学生のビデオ映像を閲覧することができるビデオ紹介ＨＰを公開し、上記学校紹介ＨＰからこのビデオ紹介ＨＰへ接続することができる技術が開発されている（例えば、特許文献２参照）
【０００４】
【特許文献１】
特開２００２−８３０３９号公報（第３−６頁、第１図）
【特許文献２】
特開２００２−１５７２４９号公報（第４−７頁、第１図）
【０００５】
【発明が解決しようとする課題】
しかしながら、上記学校紹介ＨＰでは、受験生に対して学校情報を一方的に投げかけるのみであり、学校の雰囲気やキャンパスライフ等、実際に入学した後の情報を求める受験生のニーズに充分に応えたものではなかった。
【０００６】
また、在学生のビデオ映像を取り扱う場合、在学生の卒業に伴って１年毎のビデオ映像の更新が必要となる。従来の学校紹介ＨＰで取り扱われるビデオ映像等のコンテンツデータは、単にそのデータがサーバに蓄積されているだけであったため、どの動画ファイルが更新したいビデオ映像の動画ファイルなのかを検索することに時間を要することとなり、更新作業の効率が悪かった。また、学校紹介ＨＰで取り扱われるビデオ映像が増えてくると、その動画ファイルのデータベース化が非常に煩雑な作業となる。
【０００７】
本発明の課題は、より受験生のニーズに応じた学校情報を提供するとともに、学校情報を提供するＨＰの運用効率の向上を図ることである。
【０００８】
【課題を解決するための手段】
請求項１に記載の発明は、
受験生を対象として学校情報を提供する情報提供方法であって、
複数の在学生の属性情報を登録する登録工程と、
前記登録された在学生のインタビュー映像を属性情報の登録順に撮影し、その動画ファイルを記録する撮影工程と、
前記登録された在学生の属性情報と、前記記録された動画ファイルとを、インタビューした各在学生の出身校別にデータベース化するデータベース化工程と、
受験生の在学校を指定する学校指定画面と、当該学校指定画面で指定された学校を出身校とする前記在学生を指定する在学生指定画面と、をウェブ画面として公開する公開工程と、
前記各指定画面において指定された学校及び在学生に対応する動画ファイルを前記データベースから読み出して前記ウェブ画面上で再生する再生工程と、
を含むことを特徴としている。
【０００９】
請求項２に記載の発明は、請求項１に記載の情報提供方法において、
前記登録工程では、前記在学生の属性情報にその登録順を示す撮影番号を付して登録し、
前記撮影工程では、前記動画ファイルのファイル名にその撮影順を示す撮影番号を付して記録し、
前記データベース化工程では、前記属性情報の撮影番号と、前記動画ファイル名の撮影番号とを照合することにより、当該属性情報と動画ファイルとを対応付けてデータベース化することを特徴としている。
【００１０】
この請求項１、２に記載の発明によれば、撮影番号を用いて、在校生の属性情報と撮影されたインタビュー映像の動画ファイルとが自動的に照合されてデータベース化されるので、データベース化作業に対するユーザの負担が軽減される。従って、学校情報を提供するホームページの運用効率を向上させることができる。また、ウェブ上で在学生の出身校別にインタビュー映像を再生するので、受験生に対して、出身校が同じであるという共通意識の高い在学生からのメッセージを投げかけることができ、学校に対するより大きな興味を引き立てることが可能となる。従って、より受験生のニーズに応じた学校情報を提供することができる。
【００１１】
請求項３に記載の発明は、請求項２に記載の情報提供方法において、
前記データベース化工程では、前記照合された属性情報とその動画ファイルとを管理するためのユニークＩＤを生成し、当該動画ファイルのファイル名を、撮影番号からユニークＩＤに更新して当該動画ファイルをデータベース化することを特徴としている。
【００１２】
この請求項３に記載の発明によれば、ユニークＩＤにより属性情報及び動画ファイルを管理することができ、属性情報及び動画ファイルのメンテナンス作業が容易となる。
【００１３】
請求項４に記載の発明は、請求項３に記載の情報提供方法において、
前記データベース化された動画ファイルのメンテナンス時に、指定されたユニークＩＤに対応する在学生の属性情報を前記データベースから検索して表示する検索工程を含むことを特徴としている。
【００１４】
この請求項４に記載の発明によれば、動画ファイル名であるユニークＩＤを用いて、在学生の属性情報を検索することができ、メンテナンス対象の動画ファイルに該当する在校生の属性情報を容易に確認することができる。
【００１５】
請求項５に記載の発明は、
受験生を対象として学校情報を提供する情報提供システムであって、
複数の在学生のインタビュー映像を撮影し、その動画ファイルを記録する撮影装置と、
複数の在学生の属性情報をその撮影順に登録し、当該登録された在学生の属性情報と、前記記録された動画ファイルとを、インタビューした各在学生の出身校別にデータベース化し、サーバにそのデータベース情報を転送する情報処理装置と、
前記情報処理装置から転送されたデータベース情報を格納するデータベースを備え、受験生の在学校を指定する学校指定画面と、当該学校指定画面で指定された学校を出身校とする前記在学生を指定する在学生指定画面と、をウェブ画面として公開し、当該各指定画面において指定された学校及び在学生に対応する動画ファイルを前記データベースから読み出して前記ウェブ画面上で再生するサーバと、
を備えることを特徴としている。
【００１６】
請求項６に記載の発明は、請求項５に記載の情報提供システムにおいて、
前記撮影装置は、前記動画ファイルのファイル名にその撮影順を示す撮影番号を付して記録し、
前記情報処理装置は、前記在学生の属性情報にその撮影順を示す撮影番号を付して登録し、当該属性情報の撮影番号と、前記動画ファイル名の撮影番号とを照合することにより、当該属性情報と動画ファイルとを対応付けてデータベース化することを特徴としている。
【００１７】
この請求項５、６に記載の発明によれば、情報処理装置により撮影番号を用いて、在校生の属性情報と撮影されたインタビュー映像の動画ファイルとが自動的に照合されてデータベース化されるので、データベース化作業に対するユーザの負担が軽減される。従って、学校情報を提供するホームページの運用効率を向上させることができる。また、サーバによりウェブ上で在学生の出身校別にインタビュー映像を再生されるので、受験生に対して、出身校が同じであるという共通意識の高い在学生からのメッセージを投げかけることができ、学校に対するより大きな興味を引き立てることが可能となる。従って、より受験生のニーズに応じた学校情報を提供することができる。
【００１８】
請求項７に記載の発明は、請求項６に記載の情報提供システムにおいて、
前記情報処理装置は、前記照合された属性情報とその動画ファイルとを管理するためのユニークＩＤを生成し、当該動画ファイルのファイル名を、撮影番号からユニークＩＤに更新して当該動画ファイルをデータベース化することを特徴としている。
【００１９】
この請求項７に記載の発明によれば、ユニークＩＤにより属性情報及び動画ファイルを管理することができ、属性情報及び動画ファイルのメンテナンス作業が容易となる。
【００２０】
請求項８に記載の発明は、請求項７に記載の情報提供システムにおいて、
前記サーバは、前記データベース化された動画ファイルのメンテナンス時に、指定されたユニークＩＤに対応する在学生の属性情報を前記データベースから検索して表示することを特徴としている。
【００２１】
この請求項８に記載の発明によれば、サーバにおいて、動画ファイル名であるユニークＩＤを用いて、在学生の属性情報を検索することができるので、メンテナンス対象の動画ファイルに該当する在校生の属性情報を容易に確認することができる。
【００２２】
【発明の実施の形態】
以下、図を参照して本発明の実施の形態を詳細に説明する。
本実施の形態では、学校紹介する大学に在学中の学生（以下、在学生という。）の学校生活に関するインタビュー映像を撮影し、その動画ファイルを在学生の出身高校別に閲覧することができる学校紹介ＨＰを作成してウェブ上で公開する例を説明する。なお、本実施の形態では、大学の学校紹介を行うこととして説明するが、紹介対象の学校は大学に限らず、幼稚園や中学校、高校、専門学校、外国語学校等、その他の教育機関であってもよい。
【００２３】
まず、構成を説明する。
図１に、本実施の形態における情報提供システム１００のシステム構成を示す。
図１に示すように、情報提供システム１００は、ＰＣ（Personal Computer）１０、デジタルビデオカメラ２０、サーバ３０、クライアント端末４０ａ、４０ｂから構成される。サーバ３０、クライアント端末４０ａ、４０ｂは、通信ネットワークＮを介して相互にデータの送受信が可能に接続されている。なお、本実施の形態では、１台のサーバ、２台のクライアント端末４０ａ、４０ｂが通信ネットワークＮに接続された例を説明するが、その台数及び設置個所は特に限定しない。
【００２４】
通信ネットワークＮは、電話回線網、ＩＳＤＮ回線網、専用線、移動体通信網、通信衛星回線、ＣＡＴＶ回線等の各種通信回線と、それらを接続するインターネットサービスプロバイダ基地局を含む。通信ネットワークＮは、任意の時に接続が可能であればよく、常時接続されている必要はない。また、通信ネットワークＮは、情報管理の信頼性の観点から、特定のユーザのみアクセス可能なセキュリティを確保している通信ネットワークであることが望ましい。
【００２５】
以下、情報提供システム１００に含まれる各装置について説明する。
【００２６】
まず、ＰＣ１０について説明する。
ＰＣ１０は、在学生のインタビュー映像の撮影時に、在学生の属性情報を登録するための情報処理装置である。ＰＣ１０は、ノート型ＰＣ等の在学生の元へ持ち運びが可能な情報処理装置であることが好ましい。
【００２７】
図２に、ＰＣ１０の機能的構成を示す。
図２に示すように、ＰＣ１０は、ＣＰＵ（Central Processing Unit）１１、入力部１２、表示部１３、通信部１４、ＲＡＭ（Random Access Memory）１５、記憶部１６、インターフェイス（Inter Face；以下、Ｉ／Ｆという。）１７から構成される。
【００２８】
ＣＰＵ１１は、記憶部１６に記憶されるシステムプログラムの他、本発明に係る属性情報の登録処理プログラム（図７参照）をＲＡＭ１５に展開し、当該プログラムとの協働により処理動作を統括的に制御する。
【００２９】
入力部１２は、文字キー、数字キーの他、各種機能キーを備えたキーボードを含み、操作されたキーに対応する操作信号をＣＰＵ１１に出力する。
【００３０】
表示部１３は、ＬＣＤ（Liquid Crystal Display）等からなる表示ディスプレイを含み、入力部１２における入力内容や、インタビュー映像の撮影にあたって肖像権に関する規約を確認するための規約画面、在学生の属性情報を入力するための入力画面等の各種表示情報を表示する。
【００３１】
通信部１４は、ネットワークインターフェイスカード、モデム等を備えて構成される。通信部１４は、データベース化された在学生のインタビュー映像の動画ファイル及び在学生の属性情報を、データベース情報としてサーバ３０に送信する。
【００３２】
ＲＡＭ１５は、ＣＰＵ１１によって実行される各種プログラム及びこれらのプログラムに係るデータを一時的に記憶するワークエリアを形成する。
【００３３】
記憶部１６は、磁気的、光学的記録媒体又は半導体メモリ等により構成される。記憶部１６には、ＰＣ１０のシステムプログラムの他、本発明に係る属性情報の登録処理プログラム及び各プログラムで処理されたデータ等が記憶されている。
【００３４】
記憶部１６には、各都道府県を識別するための県番号と、都道府県毎に所在する各学校を識別するための学校番号とを記憶する番号ファイル１６１が格納される。番号ファイル１６１には、図３に示すように、都道府県名（例えば、“東京都”）と、その県番号（例えば、“１”）と、その都道府県に所在する学校の学校名（例えば、“○○高校”）と、その学校番号（例えば、“１０００”）と、が格納される。
【００３５】
記憶部１６には、在学生の属性情報を登録する属性登録テーブル１６２が格納される。図４に示すように、属性登録テーブル１６２には、属性情報が登録された順番かつ在校生が撮影される順番を示す撮影番号（例えば、“０００１”）と、在学生の出身校の所在地に該当する県番号（例えば、“１２”）と、その出身校の学校番号（例えば、“８３２７”）と、在学生の氏名（例えば、“Ａ”さん）と、その在学生のインタビュー映像の動画ファイル名（例えば、“ＡＢ１２３４５．ｍｐｇ”）と、インタビュー映像の撮影日（例えば、“２００２／１２／０１”）とが対応付けて格納される。
【００３６】
Ｉ／Ｆ１７は、記録媒体ＭをＰＣ１０に接続するための接続手段であり、記録媒体Ｍの装着部を備えて構成される。
【００３７】
次に、デジタルビデオカメラ２０について説明する。
デジタルビデオカメラ２０は、在学生のインタビュー映像を撮影するための撮影装置である。デジタルビデオカメラ２０は、撮影が終了する毎にその撮影順番を示す撮影番号を生成し、その撮影番号をインタビュー映像の動画ファイルのファイル名に付して、当該動画ファイルを撮影日時の情報とともに記録媒体Ｍに記録する。
【００３８】
記録媒体Ｍは、ＰＣ４０又はデジタルビデオカメラ２０に着脱可能なメモリーカード、メモリスティック等の半導体メモリ等から構成される。
【００３９】
次に、サーバ３０について説明する。
サーバ３０は、データベース（Data Base；以下、ＤＢという。）３０ａを備え、このＤＢ３０ａに、学校紹介ＨＰのページデータ、ＰＣ１０から転送された在学生の属性情報及び在学生のインタビュー映像の動画ファイルを格納する。また、サーバ３０は、ＤＢ３０ａに格納した学校紹介ＨＰをウェブ上で公開し、クライアント端末４０ａ、４０ｂからの要求に応じて、インタビュー映像の動画ファイルをクライアント端末４０ａ、４０ｂに送信する。
【００４０】
図５に、サーバ３０の機能的構成を示す。
図５に示すように、サーバ３０は、ＣＰＵ３１、入力部３２、表示部３３、通信部３４、ＲＡＭ３５、記憶部３６、ＤＢ３０ａから構成される。なお、上述したＰＣ１０の各構成部と同一機能の部分については、その説明を省略する。
【００４１】
ＣＰＵ３１は、記憶部３６に格納されるシステムプログラムの他、本発明に係るＨＰ提供処理プログラム（図８参照）、属性情報検索処理プログラム（図１２参照）をＲＡＭ３５に展開し、当該プログラムとの協働により処理動作を統括的に制御する。
【００４２】
表示部３３は、入力部３２からの入力内容や、ＣＰＵ３１による属性情報の検索処理結果等の各種表示情報を表示する。
【００４３】
通信部３４は、データベース情報として、ＰＣ１０から転送された在学生のインタビュー映像の動画ファイル及びその在学生の属性情報を受信する。また、学校紹介ＨＰのデータ及びインタビュー映像の動画ファイルをクラアント端末４０ａ、４０ｂに送信する。
【００４４】
ＲＡＭ３５は、ＣＰＵ３１によって実行される各種プログラム及びこれらのプログラムに係るデータ等を一時的に記憶するワークエリアを形成する。
【００４５】
記憶部３６は、磁気的、光学的記録媒体又は半導体メモリ等により構成される。記憶部３６には、サーバ３０のシステムプログラムの他、本発明に係るＨＰ提供処理プログラム、属性情報検索処理プログラム及び各プログラムで処理されたデータ等が記憶されている。
【００４６】
記憶部３６には、番号ファイル３６１が格納される。番号ファイル３６１のデータ構成は、ＰＣ１０の番号ファイル１６１と同一であるので、その図示及び詳細な説明は省略する。
【００４７】
ＤＢ３０ａには、学校紹介ＨＰを構成する複数のページデータが格納される。学校紹介ＨＰとしては、トップページ、都道府県別の学校指定ページ、在学生の出身校毎に作成された在学生指定ページが格納される。各ページの詳細については後述する。また、ＤＢ３０ａには、在学生のインタビュー映像の動画ファイル群が格納される。
【００４８】
ＤＢ３０ａには、ＰＣ１０から転送された在学生の属性情報を格納する属性登録テーブル３０１が格納される。属性登録テーブル３０１のデータ構成は、ＰＣ１０の属性登録テーブル１６２と同一であるので、その図示及び詳細な説明は省略する。
【００４９】
次に、クライアント端末４０ａ、４０ｂについて説明する。
クライアント端末４０ａ、４０ｂは、受験生が使用する情報処理装置であり、ブラウザソフトを備えた情報処理装置であれば、ＰＣ、携帯電話、ＰＨＳ（Personal Handy-phone System）等が適用可能である。クライアント端末４０ａ、４０ｂは、受験生からの操作指示に応じてサーバ３０に学校紹介ＨＰ及びインタビュー映像を要求し、サーバ３０から送信された学校紹介ＨＰデータ又はインタビュー映像の動画ファイルを受信して、表示手段に表示する。
【００５０】
次に、本実施の形態における動作を説明する。
本実施の形態では、学校情報を提供する学校紹介ＨＰに用いるコンテンツとして、大学に在学する多数の在学生のインタビュー映像をデジタルビデオカメラ２０により撮影し、その在学生の属性情報と撮影した動画ファイルとをデータベース化してサーバ３０のＤＢ３０ａに格納する例を説明する。また、サーバ３０により、学校紹介ＨＰにおいて、大学の在学生のインタビュー映像がその在学生の出身高校単位で公開され、再生される例を説明する。
【００５１】
まず、図６を参照して学校情報の提供方法における登録工程、撮影工程、データベース化工程について説明する。
【００５２】
最初に、登録工程について説明する。
図６に示すように、登録工程では、まず学校紹介ＨＰの運用者が、学校紹介する大学の在学生の元へ、ＰＣ１０とデジタルビデオカメラ２０とを持ち込み、ＰＣ１０により在学生の属性情報の登録を行う（ステップＡ１）。
【００５３】
ここで、ＰＣ１０において実行される属性情報の登録処理について、図７のフローチャートを参照して説明する。
図７に示すように、ＰＣ１０では登録アプリケーションが起動され、表示部１３に肖像権に関する規約画面（図６参照）が表示される（ステップＡ１１）。この規約画面では、肖像権に関する規約とともに、「同意する」のアイコンが表示される。運用者は、在学生にこの規約画面を見せて規約の同意を得た上で撮影を行う。在学生は、表示された規約に同意する場合は、入力部２２を操作して「同意する」のアイコンを押下する。
【００５４】
規約画面において、「同意する」のアイコンが押下されると、表示部１３に在学生の属性情報を登録するための登録画面が表示される（ステップＡ１２）。この登録画面では、在学生の氏名を入力する入力領域とともに、在学生の出身校が所在する都道府県が選択可能に表示される。在学生は、この登録画面において、入力部２２を操作して自分の出身校の所在地である都道府県を選択入力する。
【００５５】
入力部２２を介して在学生の氏名が入力され、在学生の出身校の都道府県が選択入力されると（ステップＡ１３）、選択された都道府県に対応する県番号が県番号ファイル１６１から検索される（ステップＡ１４）。県番号が検索されると、属性登録テーブル１６２においてその属性情報の登録順を示す撮影番号が生成されて書き込まれ、その撮影番号に対応付けて、入力された氏名と検索された県番号とが書き込まれる（ステップＡ１５）。
【００５６】
県番号の書き込みが終了すると、表示部１３に登録画面が再表示され、ステップＡ１３で選択された都道府県に所在する高校が選択可能に表示される。在学生は、この登録画面において、入力部２２を操作して出身校に該当する高校を選択入力する。
【００５７】
入力部２２を介して在学生の出身校が選択入力されると（ステップＡ１６）、選択された高校に対応する学校番号が学校番号ファイル１６２から検索される（ステップＡ１７）。学校番号が検索されると、属性登録テーブル１６２に検索された学校番号が書き込まれる（ステップＡ１８）。
【００５８】
在学生の氏名、出身校の県番号、学校番号等の属性情報が全て入力され、属性登録テーブル１６２に記憶されると、属性情報の登録処理を終了する。
複数人の在学生を撮影する場合は、上述した登録処理を繰り返し行い、その登録した順に撮影番号を付して属性登録テーブル１６２に属性情報を登録する。
【００５９】
次に、図６に戻って、撮影工程について説明する。
属性情報がＰＣ１０の属性登録テーブル１６２に登録されると、図６において、運用者はデジタルビデオカメラ２０により在学生のインタビュー映像の撮影を行う（ステップＡ２）。撮影は、ＰＣ１０に在学生の属性情報を登録した順番で、つまり撮影番号順に撮影を行う。
【００６０】
デジタルビデオカメラ２０では、１人の在学生に対するインタビュー映像の撮影が終了する毎にその撮影順番を示す撮影番号が生成される。そして、この撮影番号が撮影されたインタビュー映像の動画ファイル名として付与され、ファイル名が付与された動画ファイルはその撮影日時とともに記録媒体Ｍに記録される（ステップＡ３）。
【００６１】
次に、データベース化工程について説明する。
複数の在学生に対するインタビュー映像の撮影を終了し、その動画ファイルの全てが記録媒体Ｍに記録されると、運用者は、記録媒体ＭをＰＣ１０に装着し、入力部１２を操作して記録媒体Ｍに記録されている動画ファイルの読み出しを指示入力する。
【００６２】
ＰＣ１０では、入力部１２からの読み出し指示に応じて、記録媒体Ｍから動画ファイルの読み出しが行われる。そして、記録媒体Ｍから読み出された動画ファイルのファイル名、つまり撮影番号と、属性登録テーブル１６２の撮影番号とが照合され、照合された撮影番号毎にユニークＩＤが生成される（ステップＡ４）。例えば、属性登録テーブル１６２の撮影番号 “０００１”と、動画ファイル名 “０００１”とが照合され、この撮影番号の属性情報及び動画ファイルに対するユニークＩＤとして、“ＡＢ１２３４５”が生成される。
【００６３】
ユニークＩＤが生成されると、その動画ファイルのファイル名が、撮影番号から当該ユニークＩＤに更新される。そして、属性登録テーブル１６２において各撮影番号に対応させて、更新された動画ファイル名及びその撮影日が書き込まれる（ステップＡ５）。
【００６４】
このようにして、動画ファイル及び在学生の属性情報がデータベース化されると、運用者は、ＰＣ１０を操作して、データベース情報として、在学生のインタビュー映像の動画ファイル及び属性登録テーブル１６２に登録した属性情報をサーバ３０に転送する指示を入力する。
【００６５】
ＰＣ１０では、転送指示に応じて、通信部１４によりデータベース情報である動画ファイル及び属性情報が通信ネットワークＮを介してサーバ３０に転送される。
サーバ３０では、ＰＣ１０から転送された属性情報及び動画ファイルがＤＢ３０ａに格納される。
【００６６】
なお、ＤＢ３０ａへの動画ファイル及び属性情報の格納は、上述したようにＰＣ１０から通信ネットワークを介してサーバ３０に転送する方法に限らず、サーバ３０とＰＣ１０とをケーブル接続して動画ファイル及び属性情報を転送する方法でもよいし、ＰＣ１０において動画ファイル及び属性情報を記録媒体Ｍに格納し、サーバ３０側で記録媒体Ｍから動画ファイル及び属性情報を読み出してＤＢ３０ａに格納する方法でもよい。
【００６７】
サーバ３０において、ＤＢ３０ａに在学生のインタビュー映像の動画ファイルが格納されると、運用者は、学校紹介ＨＰのトップページ、都道府県別の学校指定ページ、在学生指定ページ等のＨＴＭＬファイルを作成し、学校紹介ＨＰのページデータとしてＤＢ３０ａに格納する。
【００６８】
次に、図８を参照して、学校情報の提供方法における公開工程と、再生工程とについて説明する。
図８は、サーバ３０及びクライアント端末４０ａにより実行されるＨＰ提供処理を示すフローチャートである。ＨＰ提供処理は、サーバ３０が学校紹介ＨＰをクライアント端末４０ａに公開して学校情報を提供し、クライアント端末４０ａがサーバ３０により公開された在学生のインタビュー映像を再生する処理である。本実施の形態では、ＨＰの提供対象がクライアント端末４０ａである場合を例にして説明を行うが、他のクライアント端末４０ｂの場合も同様の処理がなされる。
【００６９】
図８に示すＨＰ提供処理において、まず、受験生がクライアント端末４０ａを操作して学校紹介ＨＰのＵＲＬ（Uniform Resource Locator）を指定し、ＨＰ閲覧の指示を入力すると、クライアント端末４０ａでは、学校紹介ＨＰの閲覧を要求する要求情報がサーバ３０に送信される（ステップＢ１）。
【００７０】
サーバ３０では、クライアント端末４０ａから学校紹介ＨＰ閲覧の要求情報が受信されたか否かが判別される（ステップＢ２）。クライアント端末４０ａから要求情報が受信された場合（ステップＢ２；Ｙ）、通信部３４により、ＤＢ３０ａに格納されている学校紹介ＨＰのトップページ及び都道府県別の学校指定ページのデータがクライアント端末４０ａに送信される（ステップＢ３）。
【００７１】
ここで、学校紹介ＨＰについて説明する。
学校紹介ＨＰは、ある大学の学校紹介を行うＨＰであり、その大学に通う在学生のインタビュー映像を、その在学生の出身高校別に閲覧することができるＨＰである。すなわち、この学校紹介ＨＰを閲覧する受験生は、自分が通っている高校を卒業した先輩のインタビュー映像をこの学校紹介ＨＰにより再生指定することができる。学校紹介ＨＰには、トップページの他に、受験生が自分の通っている高校を指定するための学校指定ページと、インタビュー映像を再生する在学生を指定するための在学生指定ページとが含まれる。
【００７２】
クライアント端末４０ａでは、サーバ３０から受信した学校紹介ＨＰのトップページがまず表示され、トップページにおいて次のページの表示が指示されると、都道府県別の学校指定ページが表示される。
【００７３】
図９に、都道府県別の学校指定ページの表示例を示す。
図９に示すように、学校指定ページでは、まずいくつかの地域毎にその都道府県が選択可能に表示され、次に選択された都道府県に所在する高校がリスト表示される。
【００７４】
受験生は、学校指定ページにおいて、自分の在学校の所在地に該当する都道府県をまず選択入力し、次にリスト表示された高校の中から自分の在学校を選択入力する。
クライアント端末４０ａでは、選択された高校の指定情報がサーバ３０に送信される（ステップＢ４）。
【００７５】
サーバ３０では、クライアント端末４０ａから高校の指定情報が受信されると、指定された高校に該当する在学生指定ページがクライアント端末４０ａに送信される（ステップＢ５）。
【００７６】
クライアント端末４０ａでは、サーバ３０から受信した在学生指定ページが表示される。
図１０に、在学生指定ページの表示例を示す。
図１０に示すように、在学生指定ページでは、学校指定ページで指定された高校を卒業し、学校紹介ＨＰで紹介する大学に現在通っている在学生のインタビュー映像のサムネイル画像が一覧表示される。このサムネイル画像は、インタビュー映像の動画ファイルから得られた静止画をサムネイル加工した画像であり、ＤＢ３０ａに格納される動画ファイルへのリンク先を指定するものである。
【００７７】
受験生は、この在学生指定ページにおいて、インタビュー映像を見たい在学生のサムネイル画像を選択する。
クライアント端末４０ａでは、選択された在学生の指定情報とともに、指定した在学生に対応する動画ファイルを要求する要求情報がサーバ３０に送信される（ステップＢ６）。
【００７８】
サーバ３０では、クライアント端末４０ａから受信した動画ファイルの要求情報に応じて、指定された在学生に対応する動画ファイルがＤＢ３０ａから読み出されてクライアント端末４０ａに送信される（ステップＢ７）。
【００７９】
クライアント端末４０ａでは、サーバ３０から受信した動画ファイルが再生表示される。例えば、図１１に示すような再生画面が表示され、在学生のインタビュー映像が再生される（ステップＢ８）。
【００８０】
次に、図１２を参照して、検索工程について説明する。
図１２は、サーバ３０より実行される属性情報検索処理を説明するフローチャートである。学校紹介ＨＰで公開するインタビュー映像の動画ファイルは、大学在学生の卒業に合わせて１年毎に更新しなければならない。属性情報検索処理は、ＤＢ３０ａに格納されている動画ファイルのメンテナンスを行う際に、更新対象の動画ファイルがどの在学生のインタビュー映像であるのか、撮影日はいつか等、在学生の属性情報を確認するために、指定された動画ファイル名、つまりユニークＩＤを元に属性登録テーブル３０１から属性情報を検索する処理である。
【００８１】
図１２に示す属性情報検索処理において、まず、ユニークＩＤ逆引きアプリケーションが起動され、ユニークＩＤを入力するための入力画面が表示される（ステップＣ１）。運用者は、入力部３２を介してユニークＩＤを入力する。
【００８２】
この入力画面において、入力部３２からユニークＩＤが入力されると（ステップＣ２）、入力されたユニークＩＤを元に属性登録テーブル３０１から属性情報が検索される（ステップＣ３）。具体的には、入力されたユニークＩＤと同一のユニークＩＤが属性登録テーブル３０１において検索され、そのユニークＩＤに対応する属性情報が読み出される。属性登録テーブル３０１から属性情報が検索されると、検索された属性情報が表示部３３に表示される（ステップＣ４）。
【００８３】
運用者は、表示された属性情報、例えば在学生の氏名、学校番号、県番号、撮影日等を確認し、卒業した在学生の動画ファイルの削除、変更等のメンテナンス作業を行う。
【００８４】
以上のように、在学生のインタビュー映像を撮影する際に、ＰＣ１０において在学生の属性情報を登録し、その登録順にデジタルビデオカメラ２０により在学生のインタビュー映像を撮影すると、ＰＣ１０において登録された属性情報と、デジタルビデオカメラ２０で撮影されたインタビュー映像の動画ファイルとが照合されてデータベース化された後、ユニークＩＤによりその属性情報及び動画ファイルが管理されるので、大量の動画ファイルの管理が容易となる。従って、運用者のＨＰ運用に対する負担を軽減させることができる。
【００８５】
また、ＰＣ１０でデータベース化された動画ファイル及び属性情報がサーバ３０のＤＢ３０ａに格納された後、サーバ３０において学校情報を提供する学校紹介ＨＰがウェブ上で公開されるとともに、ウェブ上で在学生の出身校別にインタビュー映像が再生されるので、受験生は、自分の学校を卒業した身近な先輩を指定してそのインタビュー画像を再生することができる。従って、受験生に対し、出身が同じであるという共通意識のある在学生のメッセージを投げかけることができ、学校に対するより大きな興味を受験生から引き立てることができる。
【００８６】
また、学校紹介ＨＰで公開する在学生のインタビュー映像のメンテナンス時には、その動画ファイルのファイル名であるユニークＩＤをサーバ３０に入力することにより、サーバ３０においてそのユニークＩＤに対応する在学生の属性情報が検索されて表示されるので、例えば、大学を卒業した在学生の動画ファイルを更新する際等に、その動画ファイル名から在学生の属性情報を容易に確認することができ、運用者は効率的なメンテナンス作業を行うことができる。従って、運用者のＨＰ運用に対する負担を軽減させることができる。
【００８７】
なお、本実施の形態における記述内容は、本発明を適用した情報提供システム１００の好適な一例であり、これに限定されるものではない。
例えば、上述した例では、作成した学校紹介ＨＰをウェブ上で公開する例を説明したが、これに限らず、学校紹介ＨＰのＨＴＭＬファイルをＣＤ−ＲＯＭ（Compact Disk-Read Only Memory）に格納し、このＣＤ−ＲＯＭをクライアント端末４０ａ、４０ｂに装着することにより、クライアント端末４０ａ、４０ｂにおいてＣＤ−ＲＯＭからＨＴＭＬファイルを読み出して、ブラウザソフトにより学校紹介ＨＰを表示することとしてもよい。
【００８８】
また、上述した例では、学校紹介ＨＰを受験生に対して公開し、在学生のインタビュー映像を提供することとしていたが、提供対象者はこれに限らず、例えば教え子であった大学在学生から高校時代の恩師に対して提供し、在学生の現在の状況を伝えることとしてもよいし、大学側から就職時の人事担当者に対して提供し、その校風や在学生の状況を伝えることとしてもよい。これにより、幅広い方面における学校紹介が可能となる。
【００８９】
また、上述した例では、登録工程において、ＰＣ２０に在校生の属性情報を登録し、ＰＣ２０により属性情報及び動画ファイルのデータベース化が行われることとしたが、撮影時には属性情報を属性情報の登録用紙に記入しておき、この登録用紙に記入された属性情報をサーバ３０に直接入力して属性登録テーブル３０１に登録し、サーバ３０により記憶媒体Ｍから動画ファイルの読み出しを行って、データベース化を行うこととしてもよい。
【００９０】
その他、本実施の形態における情報提供システム１００を構成する各装置、各装置の細部構成及び細部動作に関しても、本発明の趣旨を逸脱することのない範囲で適宜変更可能である。
【００９１】
【発明の効果】
請求項１、２に記載の発明によれば、撮影番号を用いて、在校生の属性情報と撮影されたインタビュー映像の動画ファイルとが自動的に照合されてデータベース化されるので、データベース化作業に対するユーザの負担が軽減される。従って、学校情報を提供するホームページの運用効率を向上させることができる。また、ウェブ上で在学生の出身校別にインタビュー映像を再生するので、受験生に対して、出身校が同じであるという共通意識の高い在学生からのメッセージを投げかけることができ、学校に対するより大きな興味を引き立てることが可能となる。従って、より受験生のニーズに応じた学校情報を提供することができる。
【００９２】
請求項３に記載の発明によれば、ユニークＩＤにより属性情報及び動画ファイルを管理することができ、属性情報及び動画ファイルのメンテナンス作業が容易となる。
【００９３】
請求項４に記載の発明によれば、動画ファイル名であるユニークＩＤを用いて、在学生の属性情報を検索することができ、メンテナンス対象の動画ファイルに該当する在校生の属性情報を容易に確認することができる。
【００９４】
請求項５、６に記載の発明によれば、情報処理装置により撮影番号を用いて、在校生の属性情報と撮影されたインタビュー映像の動画ファイルとが自動的に照合されてデータベース化されるので、データベース化作業に対するユーザの負担が軽減される。従って、学校情報を提供するホームページの運用効率を向上させることができる。また、サーバによりウェブ上で在学生の出身校別にインタビュー映像を再生されるので、受験生に対して、出身校が同じであるという共通意識の高い在学生からのメッセージを投げかけることができ、学校に対するより大きな興味を引き立てることが可能となる。従って、より受験生のニーズに応じた学校情報を提供することができる。
【００９５】
請求項７に記載の発明によれば、ユニークＩＤにより属性情報及び動画ファイルを管理することができ、属性情報及び動画ファイルのメンテナンス作業が容易となる。
【００９６】
請求項８に記載の発明によれば、サーバにおいて、動画ファイル名であるユニークＩＤを用いて、在学生の属性情報を検索することができるので、メンテナンス対象の動画ファイルに該当する在校生の属性情報を容易に確認することができる。
【図面の簡単な説明】
【図１】本発明を適用した実施の形態における情報提供システム１００のシステム構成を示す図である。
【図２】図１のＰＣ１０の機能的構成を示す図である。
【図３】図２の番号ファイル１６１のデータ構成例を示す図である。
【図４】図２の属性登録テーブル１６２のデータ構成例を示す図である。
【図５】図１のサーバ３０の機能的構成を示すブロック図である。
【図６】情報提供システム１００における撮影工程及びデータベース化工程を示す図である。
【図７】ＰＣ１０によって実行される属性情報の登録処理を説明するフローチャートである。
【図８】サーバ３０とクライアント端末４０ａとで実行されるＨＰ提供処理を説明するフローチャートである。
【図９】学校紹介ＨＰの学校指定ページの一例を示す図である。
【図１０】学校紹介ＨＰの在学生指定ページの一例を示す図である。
【図１１】在学生のインタビュー映像の動画ファイル再生における一例を示す図である。
【図１２】サーバ３０により実行される属性情報検索処理を示すフローチャートである。
【符号の説明】
１０    ＰＣ
１１    ＣＰＵ
１２    入力部
１３    表示部
１４    通信部
１５    ＲＡＭ
１６    記憶部
１６１    番号ファイル
１６２    属性登録テーブル
１７    Ｉ／Ｆ
２０    デジタルビデオカメラ
３０    サーバ
３１    ＣＰＵ
３２    入力部
３３    表示部
３４    通信部
３５    ＲＡＭ
３６    記憶部
３６１    番号ファイル
３０ａ    ＤＢ
３０１    属性登録テーブル
４０ａ、４０ｂ    クライアント端末
１００    情報提供システム
Ｍ    記録媒体
【図１】
2004206619.tif 000003
【図２】
2004206619.tif 000004
【図３】
2004206619.tif 000005
【図４】
2004206619.tif 000006
【図５】
2004206619.tif 000007
【図６】
2004206619.tif 000008
【図７】
2004206619.tif 000009
【図８】
2004206619.tif 000010
【図９】
2004206619.tif 000011
【図１０】
2004206619.tif 000012
【図１１】
2004206619.tif 000013
【図１２】
2004206619.tif 000014